(57)【要約】【課題】フロントグリルの装着の容易性を従来よりも緩い精度で実現する。【解決手段】スピーカは、キャビネット１の前面のバッフル板２に配設された磁性体からなる複数の凸部５と、凸部５と対向するフロントグリル４の背面に配設された複数の凹部６と、これらの凹部６の各々の底面に取り付けられた磁石７とを有する。複数の凸部と凹部のうち、第１の凸部とこれと対向する第１の凹部とは、遊合状態のはめ合いとなる精度で配設され、第２の凸部とこれと対向する第２の凹部とは、第１の凸部及び第１の凹部を中心とする円周方向についてのはめ合いが遊合状態で、かつ中心を通る半径方向については遊合状態より緩いはめ合いとなる精度で配設され、残りの凸部と凹部とは、遊合状態より緩いはめ合いとなる精度で配設される。【選択図】  図２
2006041991.tif 000002
【特許請求の範囲】
【請求項１】
キャビネットの前面のバッフル板に配設された磁性体又は磁石からなる複数の凸部と、前記凸部と対向するフロントグリルの背面に配設された複数の凹部と、これらの凹部の各々の底面に取り付けられた磁石又は磁性体とを有するスピーカであって、
前記凸部と凹部のうち、第１の凸部とこれと対向する第１の凹部とは、遊合状態のはめ合いとなる精度で配設され、第２の凸部とこれと対向する第２の凹部とは、前記第１の凸部及び第１の凹部を中心とする円周方向についてのはめ合いが遊合状態で、かつ前記中心を通る半径方向については前記遊合状態より緩いはめ合いとなる精度で配設されることを特徴とするスピーカ。
【請求項２】
キャビネットの前面のバッフル板に配設された複数の凹部と、これらの凹部の各々の底面に取り付けられた磁石又は磁性体と、前記凹部と対向するフロントグリルの背面に配設された磁性体又は磁石からなる複数の凸部とを有するスピーカであって、
前記凸部と凹部のうち、第１の凸部とこれと対向する第１の凹部とは、遊合状態のはめ合いとなる精度で配設され、第２の凸部とこれと対向する第２の凹部とは、前記第１の凸部及び第１の凹部を中心とする円周方向についてのはめ合いが遊合状態で、かつ前記中心を通る半径方向については前記遊合状態より緩いはめ合いとなる精度で配設されることを特徴とするスピーカ。
【発明の詳細な説明】
【技術分野】
【０００１】
本発明は、着脱可能なフロントグリルを備えたスピーカに関するものである。
【背景技術】
【０００２】
図４は、従来のスピーカの１例を示す斜視図である。図４に示すように、キャビネット１１の前面のバッフル板１２には、スピーカユニット１３が固定されている。このスピーカユニット１３を空気中の塵から防護するため、防護ネットを備えたフロントグリル１４がバッフル板１２に取り付けられる。図５は、バッフル板１２とフロントグリル１４の断面図である。バッフル板１２の４隅には、孔が空けられており、この孔内にはゴムブッシュ１５が設けられている。一方、ゴムブッシュ１５と対向する、フロントグリル１４の背面の位置には、ホールドピン１６が設けられている。フロントグリル１４は、ゴムブッシュ１５内にホールドピン１６を差し込ませることにより、バッフル板１２に固定される。なお、バッフル板１２にホールドピン１６が取り付けられ、フロントグリル１４にゴムブッシュ１５が取り付けられているタイプのスピーカもある。
しかしながら、図４のスピーカでは、ゴムブッシュ１５が時間の経過と共に劣化して固定力が弱まると、ホールドピン１６がゴムブッシュ１５から外れて、フロントグリル１４の固定が不安定になる可能性があった。
【０００３】
そこで、フロントグリルの固定を安定的に維持する手段として、磁力を利用するスピーカが提案されている（例えば、特許文献１参照）。図６は、特許文献１に開示されたスピーカを示す斜視図である。このスピーカでは、スピーカの上部プレート（バッフル板）２１に差し込み口２２が設けられ、この差し込み口２２は上部プレートを貫通している。鋼鉄製の防護ネットであるフロントグリル２３の足２４を差し込み口２２に挿入すると、足２４がスピーカユニットのマグネット２５に接触して、マグネット２５の磁力によってフロントグリル２３が固定されるようになっている。
【０００４】
なお、出願人は、本明細書に記載した先行技術文献情報で特定される先行技術文献以外には、本発明に関連する先行技術文献を出願時までに発見するには至らなかった。
【特許文献１】実開平７−３３０９１号公報
【発明の開示】
【発明が解決しようとする課題】
【０００５】
以上のように、図４に示したスピーカでは、ゴムブッシュが時間の経過と共に劣化してフロントグリルの固定が不安定になる可能性があった。また、ゴムブッシュとホールドピンの加工精度および取付位置の精度が悪いと、フロントグリルの装着が難しくなるという問題点があった。
これに対して、図６に示したスピーカでは、磁力を利用することでフロントグリルの固定を安定的に維持することができる。しかし、図４のスピーカと同様に、バッフル板の差し込み口とフロントグリルの足の加工精度が悪いと、フロントグリルの装着が難しくなるという問題点があった。
【０００６】
本発明は、上記課題を解決するためになされたもので、フロントグリルの装着の容易性を従来よりも緩い精度で実現することができるスピーカを提供することを目的とする。
【課題を解決するための手段】
【０００７】
本発明は、キャビネットの前面のバッフル板に配設された磁性体又は磁石からなる複数の凸部と、前記凸部と対向するフロントグリルの背面に配設された複数の凹部と、これらの凹部の各々の底面に取り付けられた磁石又は磁性体とを有するスピーカであって、前記凸部と凹部のうち、第１の凸部とこれと対向する第１の凹部とは、遊合状態のはめ合いとなる精度で配設され、第２の凸部とこれと対向する第２の凹部とは、前記第１の凸部及び第１の凹部を中心とする円周方向についてのはめ合いが遊合状態で、かつ前記中心を通る半径方向については前記遊合状態より緩いはめ合いとなる精度で配設されるようにしたものである。
【０００８】
また、本発明は、キャビネットの前面のバッフル板に配設された複数の凹部と、これらの凹部の各々の底面に取り付けられた磁石又は磁性体と、前記凹部と対向するフロントグリルの背面に配設された磁性体又は磁石からなる複数の凸部とを有するスピーカであって、前記凸部と凹部のうち、第１の凸部とこれと対向する第１の凹部とは、遊合状態のはめ合いとなる精度で配設され、第２の凸部とこれと対向する第２の凹部とは、前記第１の凸部及び第１の凹部を中心とする円周方向についてのはめ合いが遊合状態で、かつ前記中心を通る半径方向については前記遊合状態より緩いはめ合いとなる精度で配設されるようにしたものである。
【発明の効果】
【０００９】
本発明によれば、磁力を利用することで、フロントグリルの固定を安定的に維持することができる。また、フロントグリルの装着の容易性を従来よりも緩い機械的精度で実現することができる。また、バッフル板やフロントグリルが伸縮した場合でも、フロントグリルの装着の容易性を確保することができ、フロントグリルがバッフル板から浮き上がることもなくなる。
【発明を実施するための最良の形態】
【００１０】
以下、本発明の実施の形態について図面を参照して詳細に説明する。図１は、本発明の実施の形態に係るスピーカの斜視図である。キャビネット１の前面のバッフル板２には、スピーカユニット３が固定されている。このスピーカユニット３を空気中の塵から防護するため、防護ネットを備えたフロントグリル４がバッフル板２に取り付けられる。
【００１１】
図２は、バッフル板２とフロントグリル４の断面図である。図１に示すように、バッフル板２の４隅には、磁性体からなる凸部５（例えば鉄螺子）が設けられている。一方、凸部５と対向する、フロントグリル４の背面の位置には、凹部６が設けられ、この凹部６の底に永久磁石７が接着材等により取り付けられている。フロントグリル４をバッフル板２に装着するとき、バッフル板２の凸部５とフロントグリル４の凹部６とがはめ合うようにすると、凸部５と磁石７とが接触して、磁石７の磁力によってフロントグリル４がバッフル板２に固定されるようになっている。
【００１２】
図３は、バッフル板２の凸部５とフロントグリル４の凹部６の関係について説明するための図である。図３は、フロントグリル４を装着した状態で図１のスピーカを前面から透視した様子を表している。１個の凸部（第１の凸部５−１とする）とこれと対向する１個の凹部（第１の凹部６−１とする）とは、フロントグリル４をバッフル板２に取り付けたときに理想的な位置関係となるように、遊合状態のはめ合いとなる精度（加工精度および取り付け位置の精度）で配設される。他の１個の凸部（第２の凸部５−２とする）とこれと対向する１個の凹部（第２の凹部６−２とする）とは、前記第１の凸部５−１及び第１の凹部６−１を中心とする円周方向（図３のＣ方向）についてのはめ合いが遊合状態で、かつ前記中心を通る半径方向（図３のＹ方向）については遊合状態より緩いはめ合いとなる精度で配設される。そして、残りの凸部（凸部５−３，５−４とする）とこれと対向する凹部（凹部６−３，６−４とする）とは、遊合状態より緩いはめ合いとなる精度で配設されている。
【００１３】
フロントグリル４をバッフル板２に装着するときは、まず第１の凸部５−１と第１の凹部６−１とが基準位置となる。ユーザは、これらがはめ合うように位置決めを行う。第１の凸部５−１と第１の凹部６−１のはめ合いは遊合状態に設定されているので、第１の凹部６−１の中に第１の凸部５−１を入れた状態では、第１の凸部５−１を軸としてフロントグリル４を容易に回転運動させることができる。
【００１４】
次に、第１の凸部５−１と第１の凹部６−１とを合わせた状態で、第２の凸部６−２と第２の凹部６−２とがはめ合うように位置決めする。これにより、フロントグリル４の上下方向と左右方向の位置が定まることになる。
最後に、凸部５−３と凹部６−３、凸部５−４と凹部６−４がそれぞれはめ合うようにする。これにより、フロントグリル４の垂直方向（図３の紙面に対して直角の方向）の位置が定まり、フロントグリル４がバッフル板２に固定される。
【００１５】
第２の凸部５−２と第２の凸部６−２のＹ方向のはめ合い、および凸部５−３，５−４と凹部６−３，６−４のはめ合いは、遊合状態よりも更に緩くてよいので、フロントグリル４の装着の容易性を従来よりも緩い精度で実現することができる。
【００１６】
また、図４に示した従来のスピーカでは、位置決め精度の逃げが考慮されていないので、温度や湿度によってバッフル板とフロントグリルが伸縮すると、フロントグリルの装着が難しくなったり、バッフル板にフロントグリルを装着した状態でフロントグリルがバッフル板から浮き上がったりする可能性があった。
これに対して、本実施の形態では、温度や湿度によるバッフル板２とフロントグリル４の伸縮を考慮して、第２の凸部５−２と第２の凸部６−２のＹ方向のはめ合い寸法、および凸部５−３，５−４と凹部６−３，６−４のはめ合い寸法を決定すれば、バッフル板２やフロントグリル４が伸縮した場合でも、フロントグリル４の装着は容易であり、またフロントグリル４がバッフル板２から浮き上がることもなくなる。
【００１７】
なお、本実施の形態では、凸部５と凹部６をそれぞれ４箇所設けているが、３箇所以上であればよい。
また、本実施の形態では、バッフル板２に凸部５を設け、フロントグリル４に凹部６を設けているが、バッフル板２に凹部６を設け、フロントグリル４に凸部５を設けるようにしてもよい。また、凸部５を永久磁石で構成し、凹部６の底に磁性体を設けるようにしてもよい。
【産業上の利用可能性】
【００１８】
本発明は、着脱可能なフロントグリルを備えたスピーカに適用することができる。
【図面の簡単な説明】
【００１９】
【図１】本発明の実施の形態に係るスピーカの斜視図である。
【図２】図１のスピーカのバッフル板とフロントグリルの断面図である。
【図３】本発明の実施の形態におけるバッフル板の凸部とフロントグリルの凹部の関係を示す図である。
【図４】従来のスピーカの１例を示す斜視図である。
【図５】従来のスピーカのバッフル板とフロントグリルの断面図である。
【図６】従来のスピーカの他の例を示す斜視図である。
【符号の説明】
【００２０】
１…キャビネット、２…バッフル板、３…スピーカユニット、４…フロントグリル、５…凸部、６…凹部、７…磁石。
【図１】
2006041991.tif 000003
【図２】
2006041991.tif 000004
【図３】
2006041991.tif 000005
【図４】
2006041991.tif 000006
【図５】
2006041991.tif 000007
【図６】
2006041991.tif 000008